(57)【要約】      （修正有）【課題】結露の発生及び雨水や虫の浸入を阻止し、ガスメータを設置した際に背後の配管類が障害とならない構造のガスメータを提供する。【解決手段】ガスメータ本体１の上ケース２の正面側に制御室４を形成し、大気導入構造は、制御室４とこの制御室４の正面を覆う前カバー５の互いの接合縁部間に形成され、大気に開口した大気導入口７とこれに続く通気路６及び制御室４に開口した通気口からなると共に通気路６には通気フィルタ１０を取り付ける。通気路６において、大気導入口７から通気フィルタ１０に至る間には障壁を形成し、この障壁が形成された通気路６には途中の一部を広げて通気圧の急激な変動を吸収するためのバッファ９を設ける。通気フィルタ１０には通気スリット１１を形成し、この通気スリット１１の幅は０．２０ｍｍ以下に設定する。また、制御室４の後部から出張りの原因となる後蓋を無くすることで配管類の障害とならないようにする。【選択図】図１
2015232512.tif 000002
【特許請求の範囲】
【請求項１】
ａ．ガスメータ本体１の上ケース２内は区画壁１６により下段に機械室１５が形成され、上段には電子部品組み付け用の制御室４が形成されていると共にこの制御室４には外気を導入するための大気導入構造が設けられていること、
ｂ．前記大気導入構造は、前記制御室４とこの制御室４の正面開口を覆う前カバー５の互いの接合縁部２ａ、５ａ間に形成されていること、
ｃ．前記大気導入構造は、大気に開口した大気導入口７とこれに続く通気路６及び制御室４に開口した通気口８からなると共に前記通気路６には通気フィルタ１０が取り付けられていること、
ｄ．前記通気路６において、大気導入口７から通気フィルタ１０に至る間の通気路６には途中の一部を広げて通気圧の急激な変動を吸収するためのバッファ９が形成されていること、
ｅ．前記通気フィルタ１０には通気スリット１１が形成されていると共にこの通気スリット１１の幅は０．２０ｍｍ以下に設定されていること、
ｆ．を特徴とする電子計量方式の膜式ガスメータ。
【請求項２】
前記接合縁部２ａ、５ａ間及び通気フィルタ１０の周囲には、防水用のパッキン１２が組みつけられていること、を特徴とする請求項１に記載の電子計量方式の膜式ガスメータ。
【請求項３】
前記大気導入構造において、大気導入口７は、正面視で制御室４と前カバー５の下部に開口して形成されていること、を特徴とする請求項１に記載の電子計量方式の膜式ガスメータ。
【請求項４】
前記制御室４は、上ケース内を仕切壁にて上下に仕切られた区画の上部空間側に形成されていると共にこの制御室４は正面側のみが開放されていて、制御室４の背後は上ケースと一体のダイキャストボディで形成されていることにより、上ケースにおいて背後の出っ張り構造を無くしたこと、を特徴とする請求項１に記載の電子計量方式の膜式ガスメータ。
【請求項５】
前記通気路の一部には、この通気が一直線状にフィルターに至らないように流路を屈曲させるための障壁１７が形成されていること、を特徴とする請求項１に記載の電子計量方式の膜式ガスメータ。
【発明の詳細な説明】
【技術分野】
【０００１】
本発明は、ガスメータ本体の上ケースの正面側に圧力センサ等の電子機器或いは電子回路等の電装部品を収容する制御室を形成した電子計量方式の膜式ガスメータに関する。
【背景技術】
【０００２】
従来の電子計量方式の膜式ガスメータを図６に示す。
【０００３】
この図６において、符号の１００は、上ケース１０１と下ケース１０２から成り、上ケース１０１内は区画壁１０３によりクランク機構１０５等が組み付けられた機械室１０４と電磁弁とか感震器１０７等が組み付けられた制御室１０６に区画され、前記クランク機構１０５側に永久磁石１０８が取り付けられ、制御室１０６側に磁気センサ１０９が取り付けられている。
【０００４】
また、前記上ケース１０１において、制御室１０６の背後は開放されていて、この開放口１１０には後方に膨出した形状の裏蓋１１１が取り付けられている。
裏蓋１１１において、１１２は通気孔を示す。
【０００５】
以上に記載した従来の膜式ガスメータにおいては、次のような問題が発生していた。
１．制御室１０６の裏蓋１１１の通気孔１１２から雨水や小さな虫類が制御室内に入ることがあった。
２．制御室１０６の裏蓋１１１が後方に出張っていることから、ガスメータの後方に配管等の設備が在る場合に、互いに干渉することがあり、このために取り付け位置が制約されることがあった。
３．制御室１０６は後方が解放されているため、電子部品等に故障等が発生した際に、裏蓋１１１を開いてその修理とか部品交換作業が出来ないことがあった。
【発明の概要】
【発明が解決しようとする課題】
【０００６】
本発明は、叙上の如き問題点に鑑みて提供されるものであって、制御室内に雨水や虫が侵入しないようにすると共にガスメータの背後に配管等の障害物が在っても制御室内の電子部品の修理とか部品交換を行うことができる電子計量方式の膜式ガスメータを提供することを課題とする。
【課題を解決するための手段】
【０００７】
上記目的を記載するため、請求項１に記載の発明は、電子計量方式の膜式ガスメータにおいて、ａ．ガスメータ本体１の上ケース２内は区画壁１６により下段に機械室１５が形成され、上段には電子部品組み付け用の制御室４が形成されていると共にこの制御室４には外気を導入するための大気導入構造が設けられていること、ｂ．前記大気導入構造は、前記制御室４とこの制御室４の正面開口を覆う前カバー５の互いの接合縁部２ａ、５ａ間に形成されていること、ｃ．前記大気導入構造は、大気に開口した大気導入口７とこれに続く通気路６及び制御室４に開口した通気口８からなると共に前記通気路６には通気フィルタ１０が取り付けられていること、ｄ．前記通気路６において、大気導入口７から通気フィルタ１０に至る間の通気路６には途中の一部を広げて通気圧の急激な変動を吸収するためのバッファ９が形成されていること、ｅ．前記通気フィルタ１０には通気スリット１１が形成されていると共にこの通気スリット１１の幅は０．２０ｍｍ以下に設定されていることを特徴とするものである。
【０００８】
また、請求項２に記載の発明は、請求項１に記載の電子計量方式の膜式ガスメータにおいて、前記接合縁部２ａ、５ａ間及び通気フィルタ１０の周囲には、防水用のパッキン１２が組みつけられていることを特徴とするものである。
【０００９】
また、請求項３に記載の発明は、請求項１に記載の電子計量方式の膜式ガスメータにおいて、前記大気導入構造において、大気導入口７は、正面視で制御室４と前カバー５の下部に開口して形成されていることを特徴とするものである。
【００１０】
また、請求項４に記載の発明は、請求項１に記載の電子計量方式の膜式ガスメータにおいて、前記制御室４は、上ケース内を仕切壁にて上下に仕切られた区画の上部空間側に形成されていると共にこの制御室４は正面側のみが開放されていて、制御室４の背後は上ケースと一体のダイキャストボディで形成されていることにより、上ケースにおいて背後の出っ張り構造を無くしたことを特徴とするものである。
【００１１】
また、請求項５に記載の発明は、請求項１に記載の電子計量方式の膜式ガスメータにおいて、前記通気路の一部には、この通気が一直線状にフィルターに至らないように流路を屈曲させるための障壁１７が形成されていることを特徴とするものである。
【発明の効果】
【００１２】
本発明は、制御室４への大気導入構造において、大気導入口７から通気路６内に外気が流入し、通気口８から制御室４内へ大気が導入され、またこの逆のルートで制御室４内の熱や湿気が大気中に放出されることで、制御室４内に結露が発生したり、制御室４内が高温化して電子機器や電子回路等の電子部品に悪影響があるのを防止することができる。
【００１３】
そして、通気路６にはバッファ９が設けられているため、制御室４とその外との間に大きな差圧が発生しても、この差圧は広いバッファ９の空間の作用で吸収され、解消することから、負圧の作用で雨水等を制御室４内に吸い込んでしまうのを防止できる。
【００１４】
また、通気フィルタ１０の通気スリットの幅を0.20ｍｍ以下に設定したことにより、小さな虫の侵入を阻止できる。
【００１５】
また、大気導入口７を上ケース２において制御室４と前カバー５の併せ目２ａ、５ａであって、制御室４と前カバー５の出っ張りの下部に設けたことにより、雨水や埃等はこの制御室４と前カバー５の出っ張りにより遮られて大気導入口７から通気路６内に進入するのを防止できる。
【００１６】
また、上ケース２の正面側に制御室４を形成し、従来のように制御室４の後方の出っ張った裏蓋を無くすことにより、ガスメータの後方の配管類がガスメータの障害になることがないと共に電子部品等に障害が発生した場合には、前カバー５を取り外してガスメータの正面から部品の修理や交換を行うことができる。
【図面の簡単な説明】
【００１７】
【図１】本発明を実施したガスメータの一部切欠正面図
【図２】大気導入構造の説明図
【図３】上ケース内の制御室と大気導入構造を示す上ケース部分の断面図
【図４】制御室の構造を示すガスメータの断面図
【図５】大気導入構造の別な構造例の説明図
【図６】従来のガスメータの制御室の説明図
【発明を実施するための形態】
【実施例１】
【００１８】
図１乃至図５に基づいて請求項１〜４に記載した本発明の実施例を詳細に説明する。
【００１９】
図１は、前カバーの一部を切欠して制御室と大気導入構造が解るようにしたガスメータの正面図であって、符号の１はガスメータ本体、２は上ケース、３は内部に計量室３ａを形成した下ケースである。
【００２０】
前記した上ケース２内には、図３、図４に示すクランク機構等が収容された機械室１５と、この機械室１５と区画壁１６（図３、図４参照）で区画された電子機器１８等が収容された制御室４が形成され、この制御室４は上ケース２内において正面側が全体に開放されていて、上ケース２においてその後部に出張りは無い。
【００２１】
符号の５は、前記上ケース２の正面を覆う前カバーであって、この前カバー５は、図３に示すようにその周縁５ａが上ケース２側の周縁２ａにパッキン１２を介してネジ１４（図１）により密着固定されている。
【００２２】
符号の６は、本発明に係る大気導入構造における通気路であって、この通気路６の入口（大気導入口７）は図１乃至図３で明白なように、上ケース２と前カバー５が密着する周縁２ａ、５ａにおいて、上ケース２と前カバー５の下に隠れる位置であって、ガスメータ本体１を正面から見たときに左隅コーナーの下に位置して形成されている。また、通気路６は、大気導入口７と上ケース２の正面と前カバー５側において対向するように形成された流路の一部面積を大きく設定して形成したバッファ９と、流路に障壁１７を形成して通気路６を屈曲させてから通気フィルタ１０に至る流路構成となっている。
【００２３】
通気フィルタ１０は、虫の侵入を阻止することが可能な少なくとも幅が０．２０ｍｍ（以下）の通気スリット１１が形成されていて、前記通気路６において通気口８の手前であって、上ケース２とカバー５の合せ目（周縁２ａ、５ａ）間に取り付けられていると共にこの通気フィルタ１０の周囲にもパッキン１２が組み付けられていて通気フィルタ１０はその周囲が密閉されている。
【００２４】
図５は大気導入構造の別の実施例である。但し、通気フィルタ１０の周囲のパッキン１２の図示は省略している。
【００２５】
本発明の大気導入構造は以上のとおり、大気導入口７を上ケース２と前カバー５の下に隠れる位置に形成し、更に通気路６内に障壁１７を形成することにより、通気路６内に風圧などで雨水が浸入しにくい形状となっており、更にバッファ９の存在により急激な圧力の変動（負圧）で雨入が制御室４内に吸引されたりするのを阻止し、これにより電子機器類のトラブルの発生を防ぐことができる。
【００２６】
また、上ケース２の後部には出張りが無いことにより、ガスメータを設置する際に背後の配管類が障害とならない。
【符号の説明】
【００２７】
１  ガスメータ本体
２  上ケース
３  下ケース
４  制御室
５  前カバー
６  通気路
７  大気導入口
８  通気口
９  バッファ
１０  通気フィルタ
１１  通気スリット
１２  パッキン
１６  区画壁
【図１】
2015232512.tif 000003
【図２】
2015232512.tif 000004
【図３】
2015232512.tif 000005
【図４】
2015232512.tif 000006
【図５】
2015232512.tif 000007
【図６】
2015232512.tif 000008